(57)【要約】【課題】配線基板に対して文字板が斜めに配置されている場合でも、輝度ムラを生じずにインジケータ意匠範囲を照明できるようにする。【解決手段】ケースの前面１０Ａがケースの後面１０Ｂに対して斜めに形成され、配線基板に対して文字板が傾斜した姿勢で配置されている。仕切壁１１が斜めの筒状に形成され、インジケータ意匠範囲とＬＥＤが上下にずれた位置に配置され、ＬＥＤの前方正面に覆い被さるように下段仕切壁１１Ａと中段仕切壁１１Ｂが形成されている。下段仕切壁と上段仕切壁の上側表面に、ＬＥＤの光Ｈを上に向けて反射する第１反射面１６、１８が設けられ、中段仕切壁と上段仕切壁の下側表面に、第１反射面で反射された光をインジケータ意匠範囲の背後へ向けて反射する第２反射面１７、１９が設けられている。【選択図】図１
2011027684.tif 000002
【特許請求の範囲】
【請求項１】
それぞれ筒状の遮光性の仕切壁によって囲まれた前後方向に貫通する複数の灯室を有するケースと、
このケースの後面に前記各灯室の後端開口を塞ぐように配置された配線基板と、
この配線基板上に搭載され、前記各灯室内の後端部に収容されて、前方へ向けて光を出射する光源と、
前記ケースの前面に前記各灯室の前端開口を塞ぐように配置され、前記各灯室の前端開口に対応する位置に、背後から照明すべきインジケータ意匠範囲を有する文字板と、
を備え、
前記ケースの前面が該ケースの後面に対して斜めに形成されることにより、前記複数の灯室の前後方向の高さに差が設定されると共に、前記配線基板に対して前記文字板が傾斜した姿勢で配置されている自動車用計器の照明構造であって、
前記仕切壁が前後方向に対して斜めの筒状に形成されると共に、前記複数の灯室の前端開口に位置する前記文字板上のインジケータ意匠範囲と、前記配線基板上の光源とが、前後方向と直交する方向にずれた位置に配置され、それにより、前記光源の前方正面に覆い被さるように前記仕切壁の一方側の部分が設けられており、
前記光源の前方正面に覆い被さる前記仕切壁の一方側の部分の表面に、前記光源からの光を側方に向けて反射する第１反射面が設けられると共に、前記仕切壁の一方側の部分に対向する他方側の部分の表面に、前記第１反射面で反射された光を、前記インジケータ意匠範囲を背後から照明するように、前方へ向けて反射する第２反射面が設けられていることを特徴とする自動車用計器の照明構造。
【発明の詳細な説明】
【技術分野】
【０００１】
本発明は、自動車用計器の照明構造に関するものである。
【背景技術】
【０００２】
自動車用計器の代表的な例であるコンビネーションメータには、スピードメータやタコメータなどの計器類の他に、車両の各種機器の作動状態や異常内容などを表示するためのインジケータ意匠による表示部が設けられている。この表示部は、文字板上に形成されたインジケータ意匠を背後から照明することで発光させるようになっており、この表示部には照明構造が組み込まれている。
【０００３】
図２は一般的な自動車用計器（メータ）の正面図、図３は図２のＩＩＩ−ＩＩＩ矢視断面図である。
図２に示すように、この自動車用計器１００の文字板１０３の一部にはインジケータ意匠による表示部１２０が設けられており、その部分には図３に示すような照明構造が組み込まれている。
【０００４】
このインジケータ意匠による表示部の照明構造は、例えば、特許文献１に記載されたものと同様のものであり、図３に示すように、自動車用計器の全体を構成する樹脂製のケースと１１０と、このケース１１０の後面１１０Ｂに配置された配線基板１０１と、ケース１１０の前面１１０Ａに配置された文字板１０３と、配線基板１０１上に搭載された光源であるＬＥＤ１０２とを備えている。
【０００５】
ケース１１０は、筒状の仕切壁１１１によって囲まれた前後方向に貫通する灯室１１４を有しており、配線基板１０１は、このケース１１０の後面１１０Ｂに、灯室１１４の後端開口を塞ぐように配置されている。また、配線基板１０１上に搭載されたＬＥＤ１０２は、ケース１１０と配線基板１０１を組み合わせることにより、灯室１１４内の後端部に収容されており、文字板１０３のある前方へ向けて光を出射するようになっている。また、文字板１０３は、ケース１１０の前１１０Ａ面に、灯室１１４の前端開口を塞ぐように配置されており、灯室１１４の前端開口に対応する位置に、背後から照明すべきインジケータ意匠範囲１０４を有している。
【０００６】
一般的な自動車用計器（メータ）では、配線基板１０１と文字板１０３は互いに平行に配されている。従って、ＬＥＤ１０２と文字板１０３との間の距離が適正に確保されていれば、インジケータ意匠範囲１０４は背後からの照光によりムラ無く照明される。
【０００７】
ところで、メータのデザインやメータの構造などの関係から、図４に示すように、配線基板１０１と文字板１０３とを互いに平行に配置することができない場合がある。この図４の例では、樹脂製のケース２１０の前面２１０Ａがケース２１０の後面２１０Ｂに対して斜めに形成されている。
【０００８】
ケース２１０は、筒状の遮光性の仕切壁２１１によって囲まれた前後方向に貫通する複数の灯室１１４を有しており、配線基板１０１は、このケース２１０の後面２１０Ｂに、各灯室１１４の後端開口を塞ぐように配置されている。また、配線基板１０１上に搭載された複数のＬＥＤ１０２は、ケース２１０と配線基板１０１を組み合わせることにより、各灯室１１４内の後端部にそれぞれ収容されており、前方へ向けて光を出射するようになっている。また、文字板１０３は、ケース２１０の前面２１０Ａに、各灯室１１４の前端開口を塞ぐように配置されており、各灯室１１４の前端開口にそれぞれ対応する位置に、背後から照明すべきインジケータ意匠範囲１０４を有している。
【０００９】
そして、この自動車用計器では、ケース２１０の前面２１０Ａがケース２１０の後面２１０Ｂに対して斜めに形成されていることから、複数の灯室１１４の前後方向の高さに差が設定されると共に、配線基板１０１に対して文字板１０３が傾斜した姿勢で配置されている。
【先行技術文献】
【特許文献】
【００１０】
【特許文献１】特開２００５−２４１４８４号公報
【発明の概要】
【発明が解決しようとする課題】
【００１１】
上述のように配線基板１０１に対して文字板１０３が傾斜した姿勢で配置されている場合は、配線基板１０１上に搭載されているＬＥＤ１０２と文字板１０３との距離が場所によって異なることになる。そのため、同じ文字板１０３上のインジケータ意匠範囲１０４であっても、照明時に輝度ムラが発生することがある。例えば、図４中の下側のインジケータ意匠範囲１０４は、文字板１０３とＬＥＤ１０２との距離が遠いので、文字板１０３の正面から見ると暗く点灯し、図４中の上側のインジケータ意匠範囲１０４は、文字板１０３とＬＥＤ１０２との距離が近いので、明るく点灯して見えることになり、輝度に差が出ることになる。
【００１２】
また、上側のインジケータ意匠範囲１０４については、ＬＥＤ１０２との距離が近くなるために、ＬＥＤ１０２の光が充分に拡散されずに文字板１０３に当たることになり、同じインジケータ意匠範囲１０４内でも輝度ムラが生じる可能性がある。
【００１３】
本発明は、上述した事情に鑑みてなされたものであり、その目的は、配線基板に対して文字板が斜めに配置されている場合であっても、輝度ムラを生じずにインジケータ意匠範囲を照明することのできる自動車用計器の照明構造を提供することにある。
【課題を解決するための手段】
【００１４】
前述した目的を達成するために、本発明に係る自動車用計器の照明構造は、下記（１）を特徴としている。
（１）  それぞれ筒状の遮光性の仕切壁によって囲まれた前後方向に貫通する複数の灯室を有するケースと、
このケースの後面に前記各灯室の後端開口を塞ぐように配置された配線基板と、
この配線基板上に搭載され、前記各灯室内の後端部に収容されて、前方へ向けて光を出射する光源と、
前記ケースの前面に前記各灯室の前端開口を塞ぐように配置され、前記各灯室の前端開口に対応する位置に、背後から照明すべきインジケータ意匠範囲を有する文字板と、
を備え、
前記ケースの前面が該ケースの後面に対して斜めに形成されることにより、前記複数の灯室の前後方向の高さに差が設定されると共に、前記配線基板に対して前記文字板が傾斜した姿勢で配置されている自動車用計器の照明構造であって、
前記仕切壁が前後方向に対して斜めの筒状に形成されると共に、前記複数の灯室の前端開口に位置する前記文字板上のインジケータ意匠範囲と、前記配線基板上の光源とが、前後方向と直交する方向にずれた位置に配置され、それにより、前記光源の前方正面に覆い被さるように前記仕切壁の一方側の部分が設けられており、
前記光源の前方正面に覆い被さる前記仕切壁の一方側の部分の表面に、前記光源からの光を側方に向けて反射する第１反射面が設けられると共に、前記仕切壁の一方側の部分に対向する他方側の部分の表面に、前記第１反射面で反射された光を、前記インジケータ意匠範囲を背後から照明するように、前方へ向けて反射する第２反射面が設けられていること。
【００１５】
上記の構成の自動車用計器の照明構造によれば、従来例のように文字板上のインジケータ意匠範囲の真後ろに光源を配置するのではなく、側方にずらして光源を配置し、光源の前方正面を仕切壁で覆った上で、仕切壁に設けた第１反射面と第２反射面により順次光源からの光を反射させて、インジケータ意匠範囲の背後に到達させるようにしているので、何回かの反射のたびに光を適度に拡散させることができ、光源と文字板の距離の違いによらず、インジケータ意匠範囲を輝度ムラなく照明することができる。また、第１、第２反射面は遮光壁としても機能するので、隣接する灯室間での光漏れを防止することができ、インジケータ意匠の色が隣りと混じり合うこともなく、独立したインジケータ意匠色で照明することができる。
【発明の効果】
【００１６】
本発明によれば、文字板が配線基板に対して傾斜している場合でも、輝度ムラなくインジケータ意匠範囲を照明することができる。
【００１７】
以上、本発明について簡潔に説明した。更に、以下に説明される発明を実施するための形態を添付の図面を参照して通読することにより、本発明の詳細は更に明確化されるであろう。
【図面の簡単な説明】
【００１８】
【図１】本発明の実施形態の自動車用計器の照明構造の断面図である。
【図２】従来の一般的な自動車用計器の正面図である。
【図３】図２のＩＩＩ−ＩＩＩ矢視断面図である。
【図４】配線基板に対して文字板が傾斜した姿勢で配置されている場合の従来の自動車用計器の照明構造の断面図である。
【発明を実施するための形態】
【００１９】
以下、本発明の実施形態を図面を参照して説明する。
図１は本発明の実施形態の自動車用計器の照明構造の断面図である。
【００２０】
この自動車用計器の照明構造は、遮光性を有する樹脂で成形されたケース１０と、このケース１０の後面１０Ｂに配置された配線基板１と、ケース１０の前面１０Ａに配置された透光性材料よりなる文字板３と、配線基板１の前面に搭載されたＬＥＤ（光源）２とを備えている。ケースの前面１０Ａは、ケースの後面１０Ｂに対して斜めに形成されており、配線基板１に対して文字板３は傾斜した姿勢で配置されている。ここでは、文字板３が、上から下に向かうほど、配線基板１に対して前に迫り出すように傾斜している。
【００２１】
ケース１０は、それぞれ筒状の仕切壁１１によって囲まれた前後方向に貫通する２つ（３つ以上でも可）の灯室１４を有しており、配線基板１は、このケース１０の後面１０Ｂに各灯室１４の後端開口を塞ぐように配置されている。筒状の仕切壁１１によって形成された２つの灯室１４は上下に並んでおり、ケースの前面１０Ａがケースの後面１０Ｂに対して斜めに形成されていることにより、上段の灯室１４は、下段の灯室１４よりも前後方向の高さ（前から見た奥行）が小さくなっている。
【００２２】
なお、ここでは、下段の灯室１４の下側を画成する仕切壁１１の部分を下段仕切壁１１Ａ、下段の灯室１４と上側の灯室１４を隔てる仕切壁１１の部分を中段仕切壁１１Ｂ、上段の灯室１４の上側を画成する仕切壁１１の部分を上段仕切壁１１Ｃと称して区別する。ケースの前面１０Ａの傾斜の関係から、中段仕切壁１１Ｂの前端は、上段仕切壁１１Ｃの前端よりも前に迫り出しており、下段仕切壁１１Ａの前端は、中段仕切壁１１Ｂの前端よりも前に迫り出している。
【００２３】
また、配線基板１上に搭載されたＬＥＤ２は、ケース１０と配線基板１を組み合わせることにより、各灯室１４内の後端部に収容されており、文字板３のある前方へ向けて光を出射するようになっている。また、文字板３は、ケースの前面１０Ａに、各灯室１４の前端開口を塞ぐように配置されており、各灯室１４の前端開口に対応する位置に、背後から照明すべきインジケータ意匠範囲４を有している。
【００２４】
また、この照明構造では、仕切壁１１が前後方向に対して斜めの筒状に形成されており、２つの灯室１４の前端開口に位置する文字板３上のインジケータ意匠範囲４と、配線基板１上のＬＥＤ２とが、前後方向と直交する上下方向に位置をずらして配置されている。ここでは、照明すべき上下のインジケータ意匠範囲４に対向する位置よりも、ＬＥＤ２が下側に位置をずらして配置されている。また、ＬＥＤ２の前方正面に覆い被さるように、各灯室１４から見たときに仕切壁１１の下側部分（仕切壁の一方側の部分）に相当する下段仕切壁１１Ａと中段仕切壁１１Ｂとが、前端側に行くほど斜めに迫り上がるように形成されている。
【００２５】
そして、ＬＥＤ２の前方正面に覆い被さるように設けられた下段仕切壁１１Ａおよび中段仕切壁１１Ｂの上側を向いた斜めの表面に、ＬＥＤ２からの光Ｈを側方（上側）に向けて反射する第１反射面１６、１８が設けられ、その第１反射面１６、１８に対向する中段仕切壁１１Ｂおよび上段仕切壁１１Ｃの下側を向いた斜めの表面に、第１反射面１６、１８で反射された光Ｈを、インジケータ意匠範囲４を背後から照明するように、前方へ向けて反射する第２反射面１７、１９が設けられている。
【００２６】
以上のように構成されているので、次の作用効果を得ることができる。即ち、従来例のように文字板３上のインジケータ意匠範囲４の真後ろにＬＥＤ２を配置するのではなく、下側（側方）にずらしてＬＥＤ２を配置し、ＬＥＤ２の前方正面を仕切壁１１Ａ、１１Ｂで覆った上で、仕切壁１１Ａ、１１Ｂ、１１Ｃに設けた第１反射面１６、１８と第２反射面１８、１９により順次ＬＥＤ２からの光Ｈを反射させて、インジケータ意匠範囲４の背後に到達させるようにしているので、何回かの反射のたびに光Ｈを適度に拡散させることができ、ＬＥＤ２と文字板３の距離の違いによらず、インジケータ意匠範囲４を輝度ムラなく照明することができる。また、第１、第２反射面１６、１８、１７、１９は遮光壁としても機能するので、隣接する灯室１４間での光Ｈの漏れを防止することができ、インジケータ意匠の照明色が隣りと混じり合うこともなく、独立したインジケータ意匠色で照明することができる。
【００２７】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００２８】
例えば、上記実施形態では、文字板３が上下方向に傾斜して配置されているが、左右方向に傾斜して配置されている場合にも本発明は適用できる。
【００２９】
また、上記実施形態では、灯室１４の数が２つだけの場合を示したが、より多数の場合にも本発明は適用できる。
【符号の説明】
【００３０】
１  配線基板
２  ＬＥＤ（光源）
３  文字板
４  インジケータ意匠範囲
１０  ケース
１０Ａ  前面
１０Ｂ  後面
１１、１１Ａ，１１Ｂ，１１Ｃ  仕切壁
１４  灯室
１６，１８  第１反射面
１７，１９  第２反射面
【図１】
2011027684.tif 000003
【図２】
2011027684.tif 000004
【図３】
2011027684.tif 000005
【図４】
2011027684.tif 000006